(57)【特許請求の範囲】
【請求項１】
複数の二次電池を有する第１の電池スタック及び第２の電池スタックと、
前記第１の電池スタックにおける前記第２の電池スタックに隣接する側の端部に設けられる第１のブラケットと、
前記第２の電池スタックにおける前記第１の電池スタックに隣接する側の端部に設けられるとともに、前記第１のブラケットと同一形状をなす第２のブラケットと、を備え、
前記第１のブラケットと前記第２のブラケットとには、挿入凸部と該挿入凸部が挿入される被挿入凹部とが交互に複数形成され、
前記第１のブラケットの隣接する２つの前記挿入凸部の間に形成される前記被挿入凹部に、前記第２のブラケットの前記挿入凸部が挿入されることを特徴とする電池モジュール。
【請求項２】
前記第１のブラケット及び前記第２のブラケットは、それぞれの前記挿入凸部と前記被挿入凹部の並設方向両端部の一方端部に前記挿入凸部が形成されるとともに他方端部に前記被挿入凹部が形成され、
前記第１のブラケットの前記一方端部に形成される前記挿入凸部は、前記第２のブラケットの前記他方端部に形成される前記被挿入凹部に対向するように配置されることを特徴とする請求項１に記載の電池モジュール。
【請求項３】
請求項１又は請求項２に記載の電池モジュールと、
締結部材により前記電池モジュールが連結される被連結部材と、を備え、
前記挿入凸部は、同一の前記被挿入凹部に挿入される第１の挿入凸部と第２の挿入凸部を含み、前記第１の挿入凸部と前記第２の挿入凸部の間に形成された締結用凹部に前記締結部材が挿入されることを特徴とする電池パック。
【発明の詳細な説明】
【技術分野】
【０００１】
本発明は、第１の電池スタックと第２の電池スタックを備える電池モジュール及び電池パックに関する。
【背景技術】
【０００２】
複数の電池スタックを備える電池モジュールとしては、例えば、特許文献１に記載の電池モジュールが知られている。
特許文献１に記載の電池モジュールは、電気自動車やハイブリッド自動車に搭載される。電池モジュールは、パッケージングケース内に複数の電池スタックが収容されている。電池スタックは、パッケージングケース内で列で整列するとともに行で整列してマトリックス状に配置されている。電池スタックは、複数の単電池を整列配置させてパッケージ化されたものである。
【先行技術文献】
【特許文献】
【０００３】
【特許文献１】特開２０１２−７９５１１号公報
【発明の概要】
【発明が解決しようとする課題】
【０００４】
ところで、電池モジュールにおいては、パッケージングケース内に収容された電池スタックの位置ずれを抑制することが望まれている。また、電池モジュールは、限られた収容スペースに搭載される場合があり、小型化が望まれている。
【０００５】
本発明は、このような従来技術の問題点に鑑みてなされたものであり、その目的は、電池スタックの位置ずれを抑制することができ、かつ、小型化を図ることができる電池モジュール及び電池パックを提供することにある。
【課題を解決するための手段】
【０００６】
上記課題を解決するため、請求項１に記載の発明は、複数の二次電池を有する第１の電池スタック及び第２の電池スタックと、前記第１の電池スタックにおける前記第２の電池スタックに隣接する側の端部に設けられる第１のブラケットと、前記第２の電池スタックにおける前記第１の電池スタックに隣接する側の端部に設けられるとともに、前記第１のブラケットと同一形状をなす第２のブラケットと、を備え、前記第１のブラケットと前記第２のブラケットとには、挿入凸部と該挿入凸部が挿入される被挿入凹部とが交互に複数形成され、前記第１のブラケットの隣接する２つの前記挿入凸部の間に形成される前記被挿入凹部に、前記第２のブラケットの前記挿入凸部が挿入されることを要旨とする。
【０００７】
これによれば、第１のブラケットの挿入凸部が第２のブラケットの被挿入凹部に挿入され、第２のブラケットの挿入凸部が第１のブラケットの被挿入凹部に挿入される。このため、第１のブラケットと第２のブラケットにおける第１の電池スタックと第２の電池スタックの並設方向への長さは、挿入凸部及び被挿入凹部が形成されていないブラケットを用いる場合に比べて、被挿入凹部に挿入される挿入凸部の分だけ短くなる。このため、電池モジュールにおける第１の電池スタックと第２の電池スタックの並設方向への長さを短くすることができ、電池モジュール全体の小型化も図られている。また、第１のブラケットの挿入凸部が第２のブラケットの被挿入凹部に挿入され、第２のブラケットの挿入凸部が第１のブラケットの被挿入凹部に挿入されることで、第１の電池スタック及び第２の電池スタックが位置ずれしようとしても、挿入凸部と被挿入凹部が係止しあうことで、位置ずれが抑制される。また、第１のブラケットと第２のブラケットは、同一の形状となっている。このため、第１のブラケットと第２のブラケットを共通化することができ、部品点数の削減が図られる。
【０００８】
請求項２に記載の発明は、請求項１に記載の電池パックであって、前記第１のブラケット及び前記第２のブラケットは、それぞれの前記挿入凸部と前記被挿入凹部の並設方向両端部の一方端部に前記挿入凸部が形成されるとともに他方端部に前記被挿入凹部が形成され、前記第１のブラケットの前記一方端部に形成される前記挿入凸部は、前記第２のブラケットの前記他方端部に形成される前記被挿入凹部に対向するように配置されることを要旨とする。
【０００９】
これによれば、それぞれの挿入凸部を対向する被挿入凹部に挿入させることができる。
請求項３に記載の発明は、前記請求項１又は請求項２に記載の電池モジュールと、締結部材により前記電池モジュールが連結される被連結部材と、を備え、前記挿入凸部は、同一の前記被挿入凹部に挿入される第１の挿入凸部と第２の挿入凸部を含み、前記第１の挿入凸部と前記第２の挿入凸部の間に形成された締結用凹部に前記締結部材が挿入されることを要旨とする。
【００１０】
これによれば、挿入凸部を利用して形成した締結用凹部に締結部材を挿入して、この締結部材によって電池モジュールを被連結部材に連結することができる。
【発明の効果】
【００１１】
本発明によれば、電池スタックの位置ずれを抑制することができ、かつ、小型化を図ることができる。
【図面の簡単な説明】
【００１２】
【図１】実施形態の電池パックを示す斜視図。
【図２】実施形態の第１のブラケット及び第２のブラケットを示す斜視図。
【図３】実施形態の第１のブラケットと第２のブラケットを示す拡大図。
【図４】比較例の第１のブラケットと第２のブラケットを示す拡大図。
【図５】別例の第１のブラケットと第２のブラケットを示す拡大図。
【図６】別例の第１のブラケットと第２のブラケットを示す拡大図。
【発明を実施するための形態】
【００１３】
以下、本発明を具体化した一実施形態について図１にしたがって説明する。
図１に示すように、電池パック１０は、被連結部材としての筐体１１の内面１１ａに、電池モジュール１６が連結されている。電池モジュール１６は、第１の電池スタック２１と第２の電池スタック３１を並設して構成されている。第１の電池スタック２１及び第２の電池スタック３１は、二次電池（例えば、リチウムイオン二次電池や、ニッケル・水素蓄電池）としての角型電池１２が、電池ホルダ１３に保持された状態で、その厚み方向に並設されることで構成されている。第１の電池スタック２１及び第２の電池スタック３１において、角型電池１２の並設方向の両端部には、ブラケット１５が設けられている。本実施形態のブラケット１５は、全て同一の形状である。
【００１４】
図２に示すように、ブラケット１５は、矩形平板状をなす固定部４１と、固定部４１の長手方向第１端部４２から固定部４１の厚み方向に延びる板状をなす締結部４３とから形成されている。締結部４３における固定部４１から固定部４１の厚み方向に延びる方向を短手方向とし、短手方向に直交する方向を長手方向とする。締結部４３の短手方向における固定部４１側の端部とは反対側の端部となる短手方向第１端部４３ｃには、締結部４３の短手方向に向けて突出する挿入凸部としての複数（本実施形態では４個）の第１の凸部４４〜第４の凸部４７と締結部４３の短手方向に向けて凹む複数（本実施形態では４個）の第１の凹部４８〜第４の凹部５１が交互に形成されている。詳述すると、第１の凸部４４〜第４の凸部４７は、第１の凸部４４、第１の凹部４８、第２の凸部４５、第２の凹部４９、第３の凸部４６、第３の凹部５０、第４の凸部４７、第４の凹部５１の順になるように締結部４３の長手方向に並設されている。第１の凸部４４における締結部４３の長手方向の第１の凹部４８側と反対側の端部から第２の凸部４５における締結部４３の長手方向の第２の凹部４９側の端部までの寸法ｄ１は、第４の凹部５１における締結部４３の長手方向の寸法ｄ２と略同一となっている。また、第３の凸部４６における締結部４３の長手方向の第２の凹部４９側の端部から第４の凸部４７における締結部４３の長手方向の第４の凹部５１側の端部までの寸法ｄ３は、第２の凹部４９における締結部４３の長手方向の寸法ｄ４と略同一となっている。なお、固定部４１の短手方向及び長手方向と、締結部４３の短手方向及び長手方向は異なる方向となっている。
【００１５】
図３に示すように、第１の電池スタック２１と第２の電池スタック３１の並設方向における第１の電池スタック２１の両端部のうち、第２の電池スタック３１に隣接する側の端部には、第１のブラケット２２が設けられている。また、第１の電池スタック２１と第２の電池スタック３１の並設方向における第２の電池スタック３１の両端部のうち、第１の電池スタック２１に隣接する側の端部には、第２のブラケット３２が設けられている。前述したように、第１のブラケット２２と第２のブラケット３２は、ブラケット１５と同一のブラケットである。以下、説明の便宜上、第１のブラケット２２のブラケット１５に対応する部位の符号の末尾に「ａ」を付し、第２のブラケット３２のブラケット１５に対応する部位の符号の末尾に「ｂ」を付して説明を行う。
【００１６】
第１のブラケット２２と第２のブラケット３２とは、固定部４１の長手方向両端辺の中点を結ぶ中心軸Ｃ（図２参照）を回転軸として、１８０度回転した態様で固定されている。これにより、第１のブラケット２２と第２のブラケット３２とは、同一方向からの凸部と凹部の順序が逆になっている。例えば、第１のブラケット２２における図中の上側からの順序は、第４の凹部５１ａ、第４の凸部４７ａ、第３の凹部５０ａ、第３の凸部４６ａ、第２の凹部４９ａ、第２の凸部４５ａ、第１の凹部４８ａ、第１の凸部４４ａとなっており、凹部が先に形成されている。これに対して、第２のブラケット３２における図中の上側からの順序は、第１の凸部４４ｂ、第１の凹部４８ｂ、第２の凸部４５ｂ、第２の凹部４９ｂ、第３の凸部４６ｂ、第３の凹部５０ｂ、第４の凸部４７ｂ、第４の凹部５１ｂとなっており、凸部が先に形成されている。
【００１７】
第１のブラケット２２における締結部４３ａの長手方向第１端部２２ａ（他方端部）には、第４の凹部５１ａが形成され、長手方向第２端部２２ｂ（一方端部）には、第１の凸部４４ａが形成されている。第２のブラケット３２における締結部４３ｂの長手方向第１端部３２ａ（一方端部）には、第１の凸部４４ｂが形成され、長手方向第２端部３２ｂ（他方端部）には、第４の凹部５１ｂが形成されている。
【００１８】
第１のブラケット２２は、固定部４１ａが第１の電池スタック２１に固定されている。また、第２のブラケット３２は、固定部４１ｂが第２の電池スタック３１に固定されている。また、第１のブラケット２２の締結部４３ａと第２のブラケット３２の締結部４３ｂが隣り合って配置されている。
【００１９】
そして、第１のブラケット２２の第１の凸部４４ａ及び第２の凸部４５ａは、第２のブラケット３２の第４の凹部５１ｂに挿入されている。第１のブラケット２２の第３の凸部４６ａと第４の凸部４７ａは、第２のブラケット３２の第２の凹部４９ｂに挿入されている。同様に、第２のブラケット３２の第１の凸部４４ｂと第２の凸部４５ｂは、第１のブラケット２２の第４の凹部５１ａに挿入されている。第２のブラケット３２の第３の凸部４６ｂと第４の凸部４７ｂは、第１のブラケット２２の第２の凹部４９ａに挿入されている。
【００２０】
第１のブラケット２２の第１の凹部４８ａ及び第３の凹部５０ａには、いずれの第１の凸部４４ｂ〜第４の凸部４７ｂも挿入されず、第２のブラケット３２の第１の凹部４８ｂ及び第３の凹部５０ｂにも、いずれの第１の凸部４４ａ〜第４の凸部４７ａも挿入されていない。第１の凹部４８ａ，４８ｂ及び第３の凹部５０ａ，５０ｂは、締結用凹部として機能する。第１の凹部４８ａ，４８ｂ及び第３の凹部５０ａ，５０ｂには、締結部材としてのボルトＢが挿入されて、このボルトＢが筐体１１に螺合されることで第１の電池スタック２１と第２の電池スタック３１は、筐体１１に固定されている。
【００２１】
前述したように、第１のブラケット２２の第１の凸部４４ａと第２の凸部４５ａは、第２のブラケット３２の第４の凹部５１ｂに挿入されている。第１のブラケット２２の第３の凸部４６ａと第４の凸部４７ａは、第２のブラケット３２の第２の凹部４９ｂに挿入されている。すなわち、第１のブラケット２２の第１の凸部４４ａと第２の凸部４５ａ及び第３の凸部４６ａと第４の凸部４７ａは、同一の凹部（第２のブラケット３２の第４の凹部５１ｂ及び第２の凹部４９ｂ）に挿入されている。第１のブラケット２２の第１の凸部４４ａと第２の凸部４５ａの間には、第１の凹部４８ａが形成され、第３の凸部４６ａと第４の凸部４７ａの間には、第３の凹部５０ａが形成されている。第１のブラケット２２の第１の凹部４８ａ及び第３の凹部５０ａは、ボルトＢが挿入される締結用凹部として機能している。したがって、第１のブラケット２２の第１の凸部４４ａと第２の凸部４５ａ及び第３の凸部４６ａ及び第４の凸部４７ａのそれぞれは、間に締結用凹部を形成する第１の挿入凸部及び第２の挿入凸部として機能している。また、第２のブラケット３２の第２の凹部４９ｂ及び第４の凹部５１ｂは、被挿入凹部として機能している。
【００２２】
第２のブラケット３２の第１の凸部４４ｂと第２の凸部４５ｂは、第１のブラケット２２の第４の凹部５１ａに挿入されている。第２のブラケット３２の第３の凸部４６ｂと第４の凸部４７ｂは、第１のブラケット２２の第２の凹部４９ａに挿入されている。すなわち、第２のブラケット３２の第１の凸部４４ｂと第２の凸部４５ｂ及び第３の凸部４６ｂと第４の凸部４７ｂは、同一の凹部（第１のブラケット２２の第４の凹部５１ａ及び第２の凹部４９ａ）に挿入されている。第２のブラケット３２の第１の凸部４４ｂと第２の凸部４５ｂの間には、第１の凹部４８ｂが形成され、第３の凸部４６ｂと第４の凸部４７ｂの間には、第３の凹部５０ｂが形成されている。第２のブラケット３２の第１の凹部４８ｂと第３の凹部５０ｂは、ボルトＢが挿入される締結用凹部として機能している。したがって、第２のブラケット３２の第１の凸部４４ｂと第２の凸部４５ｂ及び第３の凸部４６ｂ及び第４の凸部４７ｂのそれぞれは、間に締結用凹部を形成する第１の挿入凸部及び第２の挿入凸部として機能している。また、第１のブラケット２２の第２の凹部４９ａ及び第４の凹部５１ａは、被挿入凹部として機能している。
【００２３】
次に、比較例のブラケット１００について説明する。
図４に示すように、比較例のブラケット１００は締結部１０１が矩形平板状に形成され、第１の凸部４４〜第４の凸部４７及び凹部４８〜５１が形成されていない。締結部１０１の短手方向の寸法ｄ１１は、実施形態における第１のブラケット２２及び第２のブラケット３２の締結部４３ａ，４３ｂの短手方向の寸法ｄ１０（固定部４１ａ，４１ｂが形成される締結部４３ａ，４３ｂの基端から第１の凸部４４ａ〜第４の凸部４７ａ，第１の凸部４４ｂ〜第４の凸部４７ｂの先端までの寸法）と同一となっている。したがって、電池モジュール１６において、第１の電池スタック２１と第２の電池スタック３１の並設方向における比較例のブラケット１００が占める寸法は、寸法ｄ１０（寸法ｄ１１）の２倍の長さとなっている。また、締結部１０１には、ボルトが挿通される挿通孔１０１ａが形成されている。
【００２４】
次に、本実施形態の電池パック１０の作用について説明する。
図３に示すように、第１のブラケット２２の第１の凸部４４ａと第２の凸部４５ａは、第２のブラケット３２の第４の凹部５１ｂに挿入され、第３の凸部４６ａと第４の凸部４７ａは、第２のブラケット３２の第２の凹部４９ｂに挿入されている。また、第２のブラケット３２の第１の凸部４４ｂと第２の凸部４５ｂは、第１のブラケット２２の第４の凹部５１ａに挿入され、第３の凸部４６ｂと第４の凸部４７ｂは、第１のブラケット２２の第２の凹部４９ａに挿入されている。このため、第１のブラケット２２と第２のブラケット３２は、その締結部４３ａ，４３ｂの短手方向において重なり合う部分が有る。詳細にいえば、第１のブラケット２２の第１の凸部４４ａと第２の凸部４５ａは、第２のブラケット３２の第４の凹部５１ｂに重なり、第１のブラケット２２の第３の凸部４６ａと第４の凸部４７ａは、第２のブラケット３２の第２の凹部４９ｂに重なる。同様に、第２のブラケット３２の第１の凸部４４ｂと第２の凸部４５ｂは、第１のブラケット２２の第４の凹部５１ａに重なり、第２のブラケット３２の第３の凸部４６ｂと第４の凸部４７ｂは、第１のブラケット２２の第２の凹部４９ａに重なる。このため、比較例のブラケット１００を用いる場合と比較すると、各ブラケット２２，３２の第１の凸部４４ａ，４４ｂと第２の凸部４５ａ，４５ｂが第４の凹部５１ａ，５１ｂに挿入され、第３の凸部４６ａ，４６ｂと第４の凸部４７ａ，４７ｂが第２の凹部４９ａ，４９ｂに挿入される寸法ｄ２０の分だけ締結部４３の短手方向への小型化が図られている。したがって、電池モジュール１６において、第１の電池スタック２１と第２の電池スタック３１の並設方向における第１のブラケット２２及び第２のブラケット３２が占める長さは、寸法ｄ１０の２倍の長さから寸法ｄ２０を引いた長さとなっている。
【００２５】
また、例えば、ボルトＢなどが緩んで、第１の電池スタック２１又は第２の電池スタック３１が、締結部４３の長手方向に移動しようとすると、第１のブラケット２２の第２の凸部４５ａと第２のブラケット３２の第４の凹部５１ｂが係止しあい、第１のブラケット２２の第３の凸部４６ａ及び第４の凸部４７ａと第２のブラケット３２の第２の凹部４９ｂが係止しあう。更に、第２のブラケット３２の第２の凸部４５ｂと第１のブラケット２２の第４の凹部５１ａが係止しあい、第２のブラケット３２の第３の凸部４６ｂ及び第４の凸部４７ｂと第１のブラケット２２の第２の凹部４９ａが係止しあう。これにより、第１の電池スタック２１及び第２の電池スタック３１の移動が規制されている。
【００２６】
したがって、上記実施形態によれば、以下のような効果を得ることができる。
（１）第１の電池スタック２１の第１のブラケット２２の締結部４３ａには、第１の凸部４４ａ〜第４の凸部４７ａと第１の凹部４８ａ〜第４の凹部５１ａが交互に形成されている。第２の電池スタック３１の第２のブラケット３２の締結部４３ｂには，第１の凸部４４ｂ〜第４の凸部４７ｂと第１の凹部４８ｂ〜第４の凹部５１ｂが交互に形成されている。第１のブラケット２２の第１の凸部４４ａ〜第４の凸部４７ａは、第２のブラケット３２の第２の凹部４９ｂ又は第４の凹部５１ｂに挿入されている。第２のブラケット３２の第１の凸部４４ｂ〜第４の凸部４７ｂは、第１のブラケット２２の第２の凹部４９ａ又は第４の凹部５１ａに挿入されている。このため、比較例のブラケット１００と比較して、第１の電池スタック２１と第２の電池スタック３１の並設方向への長さを短くすることができ、ひいては電池モジュール１６の小型化が図られる。
【００２７】
（２）また、第１の電池スタック２１及び第２の電池スタック３１が締結部４３ａ，４３ｂの長手方向に移動しようとしても、第１の凸部４４ａ〜第４の凸部４７ａと第２の凹部４９ｂ又は第４の凹部５１ａが係止しあい、第１の凸部４４ｂ〜第４の凸部４７ｂと第２の凹部４９ａ又は第４の凹部５１ａが係止しあうことで、第１の電池スタック２１と第２の電池スタック３１の移動が規制されている。したがって、第１の電池スタック２１と第２の電池スタック３１の位置ずれが抑制されている。
【００２８】
（３）また、第１のブラケット２２と第２のブラケット３２とは同一のブラケット１５が使用されている。このため、第１のブラケット２２と第２のブラケット３２の部品を共通化することができ、部品点数の削減が図られている。
【００２９】
（４）第１のブラケット２２における締結部４３ａの長手方向第１端部２２ａには、第４の凹部５１ａが形成され、長手方向第２端部２２ｂには、第１の凸部４４ａが形成されている。第２のブラケット３２における締結部４３ｂの長手方向第１端部３２ａには、第１の凸部４４ｂが形成され、長手方向第２端部３２ｂには、第４の凹部５１ｂが形成されている。このため、第１のブラケット２２と第２のブラケット３２は、第１のブラケット２２の第１の凸部４４ａ〜第４の凸部４７ａ及び第１の凹部４８ａ〜第４の凹部５１ａと、第２のブラケット３２の第１の凸部４４ｂ〜第４の凸部４７ｂの順序が互いに逆になるように配置される。このため、それぞれの第１の凸部４４ａ〜第４の凸部４７ａを対向する第２の凹部４９ｂ又は第４の凹部５１ｂに挿入させることができ、それぞれの第１の凸部４４ｂ〜第４の凸部４７ｂを対向する第２の凹部４９ａ又は第４の凹部５１ｂに挿入させることができる。
【００３０】
（５）ボルトＢが挿通される第１の凹部４８ａ，４８ｂ及び第３の凹部５０ａ，５０ｂは、締結部４３の短手方向の一端から他端に向けて延びるように形成されている。このため、第１の電池スタック２１及び第２の電池スタック３１の寸法に誤差などがあったとしても、筐体１１にボルトＢを締結しやすい。
【００３１】
なお、実施形態は、以下のように変更してもよい。
○  図５に示すように、第１のブラケット及び第２のブラケットとして、被挿入凹部６１と挿入凸部６２が交互に形成されているブラケット６０を用いてもよい。この場合、締結用凹部に代えて、挿入凸部６２に貫通孔６２ａを形成して、この貫通孔６２ａにボルトＢを挿入するとともに筐体１１にボルトＢを螺合してもよい。
【００３２】
○  図６に示すように、第１のブラケット及び第２のブラケットとして、挿入凸部７１が挿入される複数の被挿入凹部７２，７３のうち、挿入凸部７１よりも寸法が大きい被挿入凹部７３が形成されているブラケット７０を用いてもよい。被挿入凹部７３における締結部４３の長手方向の両端部のうち、一方の端部には、被挿入凹部７３に挿入される挿入凸部７１における締結部４３の長手方向の端部のうち一方の端部が当接している。挿入凸部７１における締結部４３の長手方向の両端部のうち、他方の端部には、挿入凸部７１が当接していない。
【００３３】
○  実施形態において、二次電池として円筒型電池やラミネート型の電池を用いてもよい。
○  実施形態において、第１のブラケット２２における締結部４３ａの長手方向第１端部２２ａ（他方端部）には、第４の凹部５１ａが形成され、長手方向第２端部２２ｂ（一方端部）には、第１の凸部４４ａが形成されているが、これに限られない。例えば、第１のブラケット２２における締結部４３ａの長手方向第１端部２２ａ及び長手方向第２端部２２ｂの両方に凸部が形成されていてもよい。この場合、第２のブラケット３２における締結部４３ｂの長手方向第１端部３２ａ及び長手方向第２端部３２ｂの両方に凸部が形成される。また、第１のブラケット２２における締結部４３ａの長手方向第１端部２２ａ及び長手方向第２端部２２ｂの両方に凹部が形成されていてもよい。この場合、第２のブラケット３２における締結部４３ｂの長手方向第１端部３２ａ及び長手方向第２端部３２ｂの両方に凹部が形成される。
【００３４】
○  実施形態において、電池スタックは、更に並設されていてもよい。この場合も、互いに隣接する端部に設けられるブラケット１５を第１のブラケット２２と第２のブラケット３２とすることで、電池パック１０の小型化が図られる。
【００３５】
○  実施形態において、第１の電池スタック２１における第２の電池スタック３１に対向していない側の端部及び第２の電池スタック３１における第１の電池スタック２１と対向していない側の端部のブラケット１５は、どのような形状でもよく、例えば、締結部４３を有していなくてもよいし、固定部４１を有していなくてもよい。また、第１の電池スタック２１における第２の電池スタック３１に対向していない側の端部又は第２の電池スタック３１における第１の電池スタック２１と対向していない側の端部には、ブラケット１５が設けられていなくてもよい。
【符号の説明】
【００３６】
１１…筐体、１１ａ…内面、１２…角型電池、１６…電池モジュール、２１…第１の電池スタック、２２…第１のブラケット、３１…第２の電池スタック、３２…第２のブラケット、４４〜４７…凸部、４８〜５１…凹部。
【要約】      （修正有）【課題】電池スタックの位置ずれを抑制し、かつ、小型化を図る。【解決手段】電池パックは、筐体の内面１１ａに、第１の電池スタック２１と第２の電池スタック３１が並設した状態で固定されている。第１の電池スタック２１を内面１１ａに固定する第１のブラケット２２の第１の凸部４４ａ及び第２の凸部４５ｂは、第２の電池スタック３１を内面１１ａに固定する第２のブラケット３２の第４の凹部５１ｂに挿入されている。第１のブラケット２２の第３の凸部４６ａと第４の凸部４７ａは、第２のブラケット３２の第２の凹部４９ｂに挿入されている。同様に、第２のブラケット３２の第１の凸部４４ｂと第２の凸部４５ｂは、第１のブラケット２２の第４の凹部５１ａに挿入されている。第２のブラケット３２の第３の凸部４６ｂと第４の凸部４７ｂは、第１のブラケット２２の第２の凹部４９ａに挿入されている。【選択図】図３【図１】
0005440675.tif 000002
【図２】
0005440675.tif 000003
【図３】
0005440675.tif 000004
【図４】
0005440675.tif 000005
【図５】
0005440675.tif 000006
【図６】
0005440675.tif 000007